(57)【要約】【課題】  デバイスがバス線をドライブした状態で故障した場合でも、任意のデバイスを選択的にリセットすることができるバスシステムを提供する。【解決手段】  イニシエータ１０は、リセット信号線１１を含むバス線を介して、複数のバス接続機器２０と接続する。イニシエータ１０は、リセット信号線を介して、リセット対象のバス接続機器２０のＩＤを含むターゲットリセット指令を、シリアルデータで送信する。リセット信号デコード回路２１は、ターゲットリセット指令に含まれるＩＤと、ターゲットＩＤレジスタ２３が保持するＩＤとを比較し、両者が一致するときには、デバイスコントローラ２２に、自装置のリセットを指示する。【選択図】    図１
2006209304.tif 000002
【特許請求の範囲】
【請求項１】
複数のバス接続機器が接続可能なバスと、
前記バスに接続され、機器リセット信号とリセット対象のバス接続機器を指定する機器ＩＤとを含むターゲットリセット指令を、リセット信号線を介してシリアルデータとして送信するイニシエータと、
前記リセット信号線を介して送信されるシリアルデータをデコードするデコーダと、該デコーダでデコードされた機器ＩＤと自身の機器ＩＤとを照合し、双方の一致を検出すると機器内リセット信号を発生する一致判定回路と、前記機器内リセット信号が発生すると当該バス接続機器をリセットするコントローラとを有する前記バス接続機器とを備えることを特徴とするバスシステム。
【請求項２】
前記イニシエータは、前記リセット信号線を介して、前記ターゲットリセット指令、又は、前記バスに接続された複数のバス接続機器を一斉にリセットするバスリセット指令の何れかを選択的に送信可能である、請求項１に記載のコンピュータシステム。
【請求項３】
前記イニシエータは、前記バス接続機器に障害が発生したことを検出すると、当該障害が発生したバス接続機器の機器ＩＤを含むターゲットリセット指令を送信し、該送信後に所定時間内に障害が復旧しないときに、前記バスリセット指令を送信する、請求項２に記載のコンピュータシステム。
【請求項４】
リセット信号線を含むバスに接続されるバス接続機器において、
前記リセット信号線を介して送信される、機器リセット信号とリセット対象のバス接続機器を指定する機器ＩＤとを含むシリアルデータをデコードするデコーダと、該デコーダでデコードされた機器ＩＤと自身の機器ＩＤとを照合し、双方の一致を検出すると機器内リセット信号を発生する一致判定回路と、前記機器内リセット信号が発生するとバス接続機器をリセットするコントローラとを備えることを特徴とするバス接続機器。
【請求項５】
前記リセット信号線を介して送信されたシリアルデータが、リセット対象を指定したターゲットリセット指令か、バス接続機器を一斉にリセットさせるバスリセット指令であるかを判定するリセット種別判定回路を更に備え、該リセット種別判定回路がターゲットリセット指令であると判定すると、前記一致判定回路が前記デコーダでデコードされた機器ＩＤと自身の機器ＩＤとを照合する、請求項４に記載のバス接続機器。
【請求項６】
バスに接続されたバス接続機器をリセットする方法において、
リセット信号とリセット対象のバス接続機器を指定する機器ＩＤとを含むターゲットリセット指令を、リセット信号線を介してシリアルデータとして送信するステップと、
前記送信されるシリアルデータをデコードし、該デコードされた機器ＩＤと各バス接続機器の機器ＩＤとを照合するステップと、
前記照合の結果、双方の機器ＩＤの一致が検出されたバス接続機器をリセットするステップとを有することを特徴とするリセット方法。
【請求項７】
前記リセット信号線を介して、前記バスに接続された複数のバス接続機器を一斉にリセットするバスリセット指令を送信するステップと、前記バス接続機器を一斉にリセットするステップとを更に有する、請求項６に記載のリセット方法。
【請求項８】
バス接続機器の障害発生を検出すると、当該バス接続機器を指定した前記ターゲットリセット指令を送信し、該送信後に所定時間内に障害が復旧しないときに、前記バスリセット指令を送信する、請求項７に記載のリセット方法。
【発明の詳細な説明】
【技術分野】
【０００１】
本発明は、バスシステム、及び、バス接続機器に関し、更に詳しくは、リセットの発行を行うイニシエータとバス接続機器とをバスを介して接続したバスシステム、及び、そのようなバスシステムで使用できるバス接続機器に関する。また、本発明は、バス接続機器におけるリセット方法に関する。
【背景技術】
【０００２】
バス線を介して、複数の装置・デバイスを接続し、利用するバスシステムがある。バスシステムとしては、例えば、ＳＣＳＩバスやＰＣＩバスなどがある。このようなバスシステムにおいて、データ転送中になんらかの問題でデータ転送が完了せずバスハングの状態に陥った場合や、パリティエラーなどのデータエラーが発生した場合には、イニシエータ（コントローラ）は、リセット信号をアサートしてバスリセットを発行し、ターゲットとなるデバイスの復旧を試みる。しかし、この場合には、バスリセットの発行により、障害が発生していないデバイスを含め同一のバスに接続された機器の全てにリセットがかけられるため、各デバイスを立ち上げ直して正常に使用できる状態とするまでに要する時間が長いという問題がある。また、バスリセットにより、実行待ちとなっていたコマンドがすべてキャンセルされ、処理を中断して再開する必要があり、復旧処理における性能への影響が大きいという問題がある。
【０００３】
同一バスに接続された複数のデバイスのうちの１つのみを選択的にリセット可能な技術としては、特許文献１に記載された技術がある。図４は、特許文献１に記載されたＳＣＳＩ機器が有するリセットＩＤ識別回路の構成を示している。ＳＣＳＩ機器内のセレクタ２０１は、ＳＣＳＩバスのデータ線を構成する８本の信号線ＤＴ０〜ＤＴ０７を入力し、自装置の装置ＩＤに従って、ＤＴ０〜ＤＴ７のうちの何れかを選択して、これをＡＮＤ回路２０２に出力する。ＡＮＤ回路２０２は、リセット信号線と、セレクタ２０１の出力との論理積を取って、これをリセット信号として、ＳＰＣ（ＳＣＳＩプロトコルコントローラ）２０３に出力する。
【０００４】
イニシエータ側は、例えば装置ＩＤが３のデバイスを選択的にリセットする際には、リセット信号線をＨレベルに活性化すると共に、データ線ＤＴ０〜ＤＴ７のうちデータ線ＤＴ３のみをＨレベルに活性化する。この場合、装置ＩＤが３のデバイスでは、セレクタ２０１は、データ線ＤＴ３の信号をＡＮＤ回路２０２に出力し、ＡＮＤ回路２０２は、活性化されたリセット信号を、ＳＰＣ２０３に入力する。これにより、装置ＩＤが３のデバイスがリセットされる。一方、装置ＩＤが３以外のデバイスでは、セレクタ２０１が、ＡＮＤ回路２０２に、活性化されていないデータ線の信号を出力するため、ＳＰＣ２０３には、リセット信号が入力されない。このため、装置ＩＤが３以外のデバイスは、リセットされない。
【特許文献１】特開平７−８４８９９号公報（図１、段落００２５〜００２９）
【発明の開示】
【発明が解決しようとする課題】
【０００５】
ここで、ＳＣＳＩ機器が、ＳＣＳＩバスのデータ線をドライブした状態で故障した場合について考える。この場合、特許文献１に記載の技術では、イニシエータ側が、故障を発生したＳＣＳＩ機器の復旧を行うためにデータ線をドライブすると、バスファイトが発生することになるという問題がある。このため、そのような場合には、特許文献１に記載の技術では、複数のデバイスのうちの１つを選択的にリセットすることができない。
【０００６】
本発明は、上記従来技術の問題点を解消し、デバイスがバス線をドライブした状態で故障した場合でも、同一バスに接続されたデバイスのうちの任意のデバイスを選択的にリセットすることができるバス接続機器を提供することを目的とする。
【課題を解決するための手段】
【０００７】
上記目的を達成するために、本発明のバスシステムは、複数のバス接続機器が接続可能なバスと、前記バスに接続され、機器リセット信号とリセット対象のバス接続機器を指定する機器ＩＤとを含むターゲットリセット指令を、リセット信号線を介してシリアルデータとして送信するイニシエータと、前記リセット信号線を介して送信されるシリアルデータをデコードするデコーダと、該デコーダでデコードされた機器ＩＤと自身の機器ＩＤとを照合し、双方の一致を検出すると機器内リセット信号を発生する一致判定回路と、前記機器内リセット信号が発生すると当該バス接続機器をリセットするコントローラとを有する前記バス接続機器とを備えることを特徴とする。
【０００８】
本発明のバスシステムでは、バス接続機器は、シリアルデータとして送信されたリセット対象のバス接続機器のＩＤと、自身の機器ＩＤとを比較して、両者が一致すると、リセットを実行する。このため、同じバスに複数のバス接続機器が接続されている場合でも、システム全体に影響を与えることなく、特定のバス接続機器のみをリセットさせることができる。また、リセット対象のバス接続機器のＩＤをシリアルデータで送信するため、新たな信号線を増やす必要がなく、また、バスのデータ線を利用してリセット対象のバス接続機器のＩＤを送信する場合に問題となるバスファイトの問題は発生しない。
【０００９】
本発明のバスシステムでは、前記イニシエータは、前記リセット信号線を介して、前記ターゲットリセット指令、又は、前記バスに接続された複数のバス接続機器を一斉にリセットするバスリセット指令の何れかを選択的に送信可能であることが好ましい。この場合、イニシエータは、状況に応じて、特定のバス接続機器のみをリセットさせることができ、或いは、バス接続機器を一斉にリセットさせることができる。
【００１０】
本発明のバスシステムでは、前記イニシエータは、前記バス接続機器に障害が発生したことを検出すると、当該障害が発生したバス接続機器の機器ＩＤを含むターゲットリセット指令を送信し、該送信後に所定時間内に障害が復旧しないときに、前記バスリセット指令を送信することが好ましい。この場合、イニシエータが、障害発生の原因となったバス接続機器をリセットさせるターゲットリセット指令を送信することで、障害発生の原因となったバス接続機器以外のバス接続機器をリセットさせずに障害を復旧することができる。また、障害発生の原因となったバス接続機器をリセットさせるのみでは、バスの障害を復旧できなかったときには、バスリセット指令により、バスに接続されたバス接続機器を一斉にリセットさせることで、障害を復旧することができる。
【００１１】
本発明のバス接続機器は、リセット信号線を含むバスに接続されるバス接続機器において、前記リセット信号線を介して送信される、機器リセット信号とリセット対象のバス接続機器を指定する機器ＩＤとを含むシリアルデータをデコードするデコーダと、該デコーダでデコードされた機器ＩＤと自身の機器ＩＤとを照合し、双方の一致を検出すると機器内リセット信号を発生する一致判定回路と、前記機器内リセット信号が発生するとバス接続機器をリセットするコントローラとを備えることを特徴とする。
【００１２】
本発明のバス接続機器は、シリアルデータとして送信されたリセット対象のバス接続機器のＩＤと、自身の機器ＩＤとを比較して、両者が一致すると、自装置のリセットを実行する。このようにすることで、自身がリセット対象として指定されていないときには、リセットを実行せずに動作を続けることができ、処理が中断されない。従って、例えば障害復旧時に、障害発生の原因となったバス接続機器のＩＤを指定してリセットが発行されたときには、指定されたバス接続機器のみにリセットをかけることができ、復旧に要する時間を短縮できる。
【００１３】
本発明のバス接続機器は、前記リセット信号線を介して送信されたシリアルデータが、リセット対象を指定したターゲットリセット指令か、バス接続機器を一斉にリセットさせるバスリセット指令であるかを判定するリセット種別判定回路を更に備え、該リセット種別判定回路がターゲットリセット指令であると判定すると、前記一致判定回路が前記デコーダでデコードされた機器ＩＤと自身の機器ＩＤとを照合することが好ましい。この場合、バス接続機器は、リセット種別が、バスリセット指令であれば、リセットを実行し、ターゲットリセット指令であれば、一致判定回路によってＩＤが一致したと判定されたときに、リセットを実行する。
【００１４】
本発明のリセット方法は、バスに接続されたバス接続機器をリセットする方法において、リセット信号とリセット対象のバス接続機器を指定する機器ＩＤとを含むターゲットリセット指令を、リセット信号線を介してシリアルデータとして送信するステップと、前記送信されるシリアルデータをデコードし、該デコードされた機器ＩＤと各バス接続機器の機器ＩＤとを照合するステップと、前記照合の結果、双方の機器ＩＤの一致が検出されたバス接続機器をリセットするステップとを有することを特徴とする。
【００１５】
本発明のリセット方法では、バス接続機器は、シリアルデータとして送信されたリセット対象のバス接続機器のＩＤと、自身の機器ＩＤとを比較して、両者が一致すると、リセットを実行する。このため、同じバスに複数のバス接続機器が接続されている場合でも、システム全体に影響を与えることなく、特定のバス接続機器のみをリセットさせることができる。また、リセット対象のバス接続機器のＩＤをシリアルデータで送信するため、新たな信号線を増やす必要がなく、また、バスのデータ線を利用してリセット対象のバス接続機器のＩＤを送信する場合に問題となるバスファイトの問題は発生しない。
【００１６】
本発明のリセット方法は、前記リセット信号線を介して、前記バスに接続された複数のバス接続機器を一斉にリセットするバスリセット指令を送信するステップと、前記バス接続機器を一斉にリセットするステップとを更に有する構成を採用できる。この場合、バス接続機器の障害発生を検出すると、当該バス接続機器を指定した前記ターゲットリセット指令を送信し、該送信後に所定時間内に障害が復旧しないときに、前記バスリセット指令を送信することが好ましい。このようにすることで、例えばバスハング等の障害が発生した場合に、障害発生の原因となったバス接続機器のみを選択的にリセットすることにより、障害を復旧させることができる。また、障害発生の原因となったバス接続機器のみをリセットすることで、障害が復旧しなかった場合には、バスに接続されたバス接続機器を一斉にリセットすることで、障害を復旧させることができる。
【発明の効果】
【００１７】
本発明のバスシステム及びリセット方法では、リセット対象のバス接続機器のＩＤをリセット信号線を介してシリアルデータで送信するため、デバイスがバス線をドライブした状態で故障した場合でも、特定のバス接続機器を選択的にリセットすることができる。また、本発明のバス接続機器は、自身がリセット対象として指定されていないときには、他のバス接続機器がリセットされたときでも、リセットを実行せずに動作を続けることができる。
【発明を実施するための最良の形態】
【００１８】
以下、図面を参照し、本発明の実施の形態を詳細に説明する。図１は、本発明の一実施形態のバス接続機器のバス接続の様子を示している。なお、同図では、イニシエータ１０とｎ台のバス接続機器２０−１〜２０−ｎとを接続するバス線のうちのリセット信号線１１のみを図示し、データ線等を構成するバス線を省略して図示している。各バス接続機器２０は、例えばハードディスクや光ディスク装置などのデータ記憶装置として構成される。イニシエータ１０は、各バス接続機器２０との間で、バス線を介してデータの送受信を行う。
【００１９】
イニシエータ１０は、バス接続機器２０との間のデータ転送に際して、データ転送の状況を監視する。イニシエータ１０は、何らかの問題でデータ転送が完了せず、バスハングの状態に陥ったと判断すると、リセット信号線１１を介して、各バス接続機器２０にリセット指令を送信し、リセットの発行を行う。イニシエータ１０が送信するリセット指令には、複数のバス接続機器２０のうちでリセット対象となるバス接続機器２０を特定して行う旨のターゲットリセット指令と、複数のバス接続機器２０の全てをリセットする旨のバスリセット指令とがある。
【００２０】
イニシエータ１０は、リセット指令を送信する際には、そのリセット指令がターゲットリセット指令であるか、或いは、バスリセット指令であるかを指定する情報を含める。また、イニシエータ１０は、ターゲットリセット指令を送信する際には、各バス接続機器２０に、リセット対象のバス接続機器２０のＩＤを、リセット信号線を介してシリアルデータとして送信する。
【００２１】
バス接続機器２０は、リセット信号デコード回路２１と、デバイスコントローラ２２と、ターゲットＩＤレジスタ２３とを有する。ターゲットＩＤレジスタ２３は、自装置のＩＤを保持している。リセット信号デコード回路２１は、イニシエータ１０からリセット指令を受信して、そのリセット指令が、ターゲットリセット指令であるか、或いは、バスリセット指令であるかを判定する。
【００２２】
リセット信号デコード回路２１は、受信したリセット指令がターゲットリセット指令であると判定したときには、シリアルデータで送信されたリセット対象のバス接続機器２０のＩＤと、ターゲットＩＤレジスタ２３が保持するＩＤとを比較し、自装置がリセット対象であるか否かを判断する。リセット信号デコード回路２１は、イニシエータ１０が自装置をリセット対象と指定してターゲットリセット指令を送信したと判断すると、又は、イニシエータ１０がバスリセット指令を送信したと判断すると、デバイスコントローラ２２に、活性化されたリセット信号を送信し、リセットの実行を指示する。デバイスコントローラ２２は、その指示に基づいて、自装置のリセットを実行する。
【００２３】
イニシエータ１０は、ターゲットとなるバス接続機器２０との間のデータ転送に際して、そのバス接続機器２０の応答をタイマーにより監視する。イニシエータ１０は、データ転送時に、ターゲットとなるバス接続機器２０が何らかの障害により応答できなくなると、リセット信号線１１を介して、そのバス接続機器２０をリセット対象とするターゲットリセット指令を、各バス接続機器２０に送信する。この場合、複数のバス接続機器２０のうちでリセット対象のバス接続機器２０のみがリセットされる。
【００２４】
イニシエータ１０は、ターゲットリセット指令の送信後、中断したデータ転送の再試行を試みる。イニシエータ１０は、この再試行をタイマーで監視し、所定時間内にデータ転送が再開されないときには、ターゲットリセット指令によりリセット対象として指定されたバス接続機器２０がリセットに失敗して動作不能に陥ったと判断して、バスリセット指令を送信する。この場合、バス接続機器２０の全てがリセットされる。
【００２５】
図２は、リセット信号デコード回路２１の構成をブロック図で示している。リセット信号デコード回路２１は、リセット条件判定部３１、シリアル／パラレル変換部３２、比較／リセット生成部３３、ＯＲ回路３４、及び、クロック源３５を有する。クロック源３５は、リセット条件判定部３１及びシリアル／パラレル変換部３２に供給するクロック信号を生成する。
【００２６】
リセット条件判定部３１は、イニシエータ１０がリセット指令を送信すると、送信されたリセット指令のリセット種別を判別する。リセット条件判定部３１は、リセット種別がターゲットリセットであると判定すると、シリアル／パラレル変換部３２をイネーブルにする。リセット条件判定部３１は、リセット種別がバスリセットであると判定すると、活性化された信号Ｒｓｔ＿Ｂｕｓを出力する。
【００２７】
シリアル／パラレル変換部３２は、リセット条件判定部３１によりイネーブルとされると、リセット信号線１１を介してシリアルデータで送信されたリセット対象のバス接続機器２０のＩＤをパラレルデータに変換する。比較／リセット生成部３３は、シリアル／パラレル変換部３２でパラレルデータに変換されたリセット対象のバス接続機器２０のＩＤと、ターゲットＩＤレジスタ２３が保持するＩＤとを比較する。比較／リセット生成部３３は、両者が一致すると判定すると、活性化された信号ＲＳＴを出力する。
【００２８】
ＯＲ回路３４は、リセット条件判定部３１が出力する信号Ｒｓｔ＿Ｂｕｓと、比較／リセット生成回路３３が出力する信号ＲＳＴとの論理和を出力する。ＯＲ回路３４の出力は、デバイスコントローラ２２（図１）に接続され、ＯＲ回路３４が活性化レベルの信号を出力すると、デバイスコントローラ２２は、自装置のリセットを実行する。
【００２９】
図３は、リセット指令が送信された際のリセット信号線１１の変化の様子をタイミングチャートで示している。同図において、（Ａ）は、イニシエータ１０により、ターゲットリセット指令を送信する際のリセット信号線１１の信号レベルの変化の様子を示し、（Ｂ）は、バスリセット指令を送信する際のリセット信号線１１の信号レベルの変化の様子を示している。リセット条件判定部３１（図２）は、リセット信号線１１がアサートされ、クロック信号ＣＬＫの所定周期分（Ｔ＿ｒｓｔ）だけＬレベルに固定されると、リセットが発行されたと判断し、その次のクロック信号ＣＬＫの立ち上がりタイミング（時刻ｔ１）で、リセット信号線１１の信号レベルをラッチし、リセット種別がターゲットリセットであるか、バスリセットであるかを判定する。
【００３０】
リセット条件判定部３１は、時刻ｔ１でＨレベルの信号をラッチすると、リセットの種別がターゲットリセットであると判断する（図３（Ａ））。この場合、リセット条件判定部３１は、Ｓｅｒ＿Ｐａｒ＿Ｅｎ出力をアサートして、シリアル／パラレル変換部３２をイネーブルにする。また、Ｒｓｔ＿Ｂｕｓ出力をネゲートして、ＯＲ回路３４に、非活性化された信号を入力する。シリアル／パラレル変換部３２は、リセット条件判定部３１によってイネーブルにされると、クロック信号ＣＬＫの立ち上がりタイミングに同期して、リセット信号線１１をラッチし、シリアルデータで送信されたリセット対象のバス接続機器２０のＩＤをパラレルデータに変換する。
【００３１】
図３（Ａ）の例では、シリアル／パラレル変換部３２は、４ビット分のシリアルデータをラッチし、出力端子ＯＵＴ０〜ＯＵＴ３から、４ビットのパラレルデータ“１１０１”を出力する。シリアル／パラレル変換部３２は、ＩＤに続いて送信される有効ビットを時刻ｔ２でラッチし、ラッチした有効ビットが０（有効）であると、ＥＮ出力をアサートし、比較／リセット生成部３３をイネーブルとする。比較／リセット生成部３３は、シリアル／パラレル変換部３２によってイネーブルとされると、ターゲットＩＤレジスタ２３が保持するＩＤと、シリアル／パラレル変換部３２が出力するＩＤとを比較する。
【００３２】
比較／リセット生成部３３は、比較の結果、両者が一致するときには、ＲＳＴ出力をアサートし、ＯＲ回路３４に活性化された信号を入力する。両者が一致しないときには、ＲＳＴ出力をネゲートし、ＯＲ回路３４に非活性化された信号を入力する。これにより、同一のバスに接続された複数のバス接続機器２０のうちで、イニシエータ１０からリセット対象として指定されたＩＤを有するバス接続機器２０では、リセットがかけられ、リセット対象のＩＤとは異なるＩＤを有するバス接続機器２０では、リセットがかけられない。
【００３３】
リセット条件判定部３１は、時刻ｔ１で、Ｌレベルの信号をラッチすると、リセットの種別がバスリセットであると判断するバスリセットの場合（図３（Ｂ））。この場合、リセット条件判定部３１は、Ｒｓｔ＿Ｂｕｓ出力をアサートして、ＯＲ回路３４に、活性化された信号を入力する。また、Ｓｅｒ＿Ｐａｒ＿Ｅｎ出力をネゲートして、シリアル／パラレル変換部３２をディセーブルにする。これにより、各バス接続機器２０では、ターゲットＩＤレジスタ２３が保持するＩＤの値に関係なくリセットがかけられ、同一バスに接続された全てのバス接続機器２０がリセットされる。
【００３４】
本実施形態では、ターゲットリセットでは、イニシエータ１０は、リセット信号線１１を介して、リセット対象のバス接続機器２０のＩＤを送信する。バス接続機器２０は、送信されたＩＤと自身のＩＤとが一致すると、リセットを実行する。このようにすることで、複数のバス接続機器２０が同一のバスに接続されているときでも、特定のバス接続機器２０を個別にリセットすることができる。このとき、障害が発生していない正常なバス接続機器２０にリセットが伝搬しないため、システム全体に影響を及ぼさずに障害を復旧することができ、全てのバス接続機器２０をリセットする場合に比して、性能低下を最小限におさえることができる。
【００３５】
本実施形態では、ターゲットリセットの際に、既設のリセット信号線１１を介して、リセット対象のバス接続機器２０のＩＤをシリアルデータで送信するため、ＩＤの送信に新たな信号線を設ける必要がなく、既設信号線を有効に活用することができる。また、データ線を介してリセット対象のバス接続機器のＩＤを送信する場合に問題となるバスファイトが発生することはない。
【００３６】
以上、本発明をその好適な実施形態に基づいて説明したが、本発明のバス接続機器は、上記実施形態例にのみ限定されるものではなく、上記実施形態の構成から種々の修正及び変更を施したものも、本発明の範囲に含まれる。
【図面の簡単な説明】
【００３７】
【図１】本発明の一実施形態のバス接続機器のバス接続の様子を示すブロック図。
【図２】リセット信号デコード回路２１の構成を示すブロック図。
【図３】リセット指令が送信された際のリセット信号線の変化の様子を示すタイミングチャート。
【図４】特許文献１に記載されたＳＣＳＩ機器が有するリセットＩＤ識別回路の構成を示すブロック図。
【符号の説明】
【００３８】
１０：イニシエータ
１１：リセット信号線
２０：バス接続機器
２１：リセット信号デコード回路
２２：デバイスコントローラ
２３：ターゲットＩＤレジスタ
３１：リセット条件判定部
３２：シリアル/パラレル変換部
３３：比較／リセット生成部
３４：ＯＲ回路
３５：クロック源
【図１】
2006209304.tif 000003
【図２】
2006209304.tif 000004
【図３】
2006209304.tif 000005
【図４】
2006209304.tif 000006